(57)【要約】【課題】  不織布および粘着シートを備える清掃用シートにおいて、粘着シートによる清掃が可能な時間を延ばすことにより、不織布からなる清掃面を有効に使用できる取替え用の清掃用シートを提供すること。【解決手段】  清掃用シートＡは、略矩形状の不織布シート６と該不織布シート６の上面に設けられた、粘着シート７を複数枚積層した多層粘着シートＢとからなり、長柄タイプの捕集機能付き清掃具の清掃ヘッド部４の三角柱形状の３つの側面に亘るように取着され、このとき清掃ヘッド部４の一方の側面５ａを覆う位置に多層粘着シートＢが配置され、底面は不織布シート６の面が配置される。【選択図】      図４
2006136435.tif 000002
【特許請求の範囲】
【請求項１】
粘着面と不織布面とを備えた清掃用シートであって、
前記粘着面は、一方の面に粘着面を設けた粘着シートが個別に分離可能に複数枚積層されてなることを特徴とする清掃用シート。
【請求項２】
把持部と、該把持部の取付部を有する清掃ヘッド部とを備え、前記清掃ヘッド部が第１の清掃面及び該第１の清掃面と使用位置の異なる第２の清掃面を有する、清掃具の前記清掃ヘッド部に対して、前記第１及び第２の清掃面のいずれか一方に粘着面が位置し、他方に不織布面が位置するように取着できるようにした請求項１に記載の清掃用シート。
【請求項３】
把持部と、該把持部の取付部を有する清掃ヘッド部とを備える清掃具の前記清掃ヘッド部に対して直接又は間接的に取付けられる清掃用シートであって、一方の面に粘着面を設けた粘着シートを、その粘着面を上面として個別に分離可能に複数枚積層させた積層体からなり、当該積層体の下面に取付用の貼着面が形成されていることを特徴とする清掃用シート。
【請求項４】
下面の取付用の貼着面の粘着力が、粘着シート間相互の粘着力よりも強くされている請求項３に記載の清掃用シート。
【請求項５】
各粘着シートの一端部に非粘着部からなる引き剥がし部が形成されている請求項１〜４のいずれかに記載の清掃用シート。
【請求項６】
下層の粘着シートの粘着面の面積が上層の粘着シートの粘着面の面積よりも大きくされることにより、粘着シート間相互の粘着力が下層ほど強くされている請求項１〜５のいずれかに記載の清掃用シート。
【発明の詳細な説明】
【技術分野】
【０００１】
この発明は、衣類、カーペット、家具、床面等に散在するごみや塵芥などの被清掃物をシート表面の粘着作用により吸着して捕集清掃する清掃シートに関し、特に、箒タイプやハンディモップタイプのなどの清掃具の清掃ヘッド部に取着して使用される清掃シートに関する。
【背景技術】
【０００２】
建物内の調度品、壁、床や自動車内の装備品などを清掃するための清掃用具には、柄の先端に不織布等で製造された清掃用シートを装着して使用するものがある。
【０００３】
ところが、不織布の清掃用シートでは、毛髪や綿埃、土埃などの軽いごみは不織布の繊維に絡めて捕集することはできるが、細かいごみや、砂、小石、食物の破片、米粒等の粒が比較的固くて、大きいごみ、あるいはダニ等の細菌類、ゴキブリ等の小動物をすべて繊維に絡め取ることができないため、これらのゴミは、ちりとりや電気掃除機等を用いて清掃する必要があり、主婦や清掃作業者の負担となっていた。
【０００４】
そこで、このような不織布では絡め取れないごみを清掃具の清掃面に設けた粘着部に付着させて捕集する捕集機能付き清掃用シートが、例えば、下記特許文献１の特開２００４−４９６０５号公報により提案されている。
【０００５】
図７は特許文献１に記載の清掃用シートを示す。同図に示すように、清掃用シート５０はごみを繊維に絡めたり吸着したりして捕集する不織布製基材シート５１を主体し、清掃用具の柄５２の先端部に取付けられた板状装着部５３に装着されて使用される。装着部５３には弾性変形可能なスリット部５４が４箇所設けられており、基材シート５１をスリット部５４に押し込むことにより清掃用シート５０が装着されるようになっている。そして、清掃用シート５０は、基材シート５１表面であって、装着部５３の上面に位置する一部に、装着部５３の下面（清掃部５５）により捕集できなかったごみを捕集する粘着面５７を有する捕集シート５６を備えている。粘着面５７は、未使用状態では被覆材５８で被覆されており、使用時に被覆材５８を剥がして粘着面５７を露出させる。基材シート５１の清掃部５５で床を掃いて綿埃、土埃、毛髪等のごみを繊維に絡めたり吸着したりして捕集する。一方、清掃部５５で捕集できなかったごみはシート基部５９を起点として被覆材５８を剥がし、粘着面５７を露呈させ、粘着面５７を清掃対象のごみに押しつけて付着し捕集清掃する。
【０００６】
そして、このような清掃用シート５０は、基材シート５１及び捕集シート５６の清掃面が汚れてごみの捕集力が低下したとき又は失われたときに、新たな清掃用シーと５０に取り替えられるものである。
【０００７】
【特許文献１】特開２００４−４９６０５
【発明の開示】
【発明が解決しようとする課題】
【０００８】
しかしながら、上述したように清掃用シート５０は、素材により清掃機能が異なる不織布製基材シート５１と捕集シート５６との２種類の清掃面を備えており、これら清掃面の寿命（消耗スピード）が異なるのである。すなわち、清掃用シート５０は不織布製基材シート５１により髪の毛や綿埃などの軽いごみを絡め取ったり、箒のように用いてごみを掃き集めたりできるために、比較的長時間または多数回にわたって清掃できるのである。一方、捕集シート５６（粘着シート）は、その粘着面にごみを付着させて捕集するものであるとともに、基材シート（不織布）５１では絡め取れない粉塵、固いもの、大きいものをも捕集できるため、一回の清掃作業で粘着力が大きく低下してしまうものであり、基材シート５１に対して格段に消耗度が高いのである。このように粘着シートは、不織布に比して取替え時期が早くやってくる傾向にあった。
【０００９】
このように、図７のような不織布と粘着シートとの両方を備えた清掃用シートでは、不織布による清掃面よりも粘着面の面積が小さいこともあいまって、不織布部分の清掃力がまだ残っているにもかかわらず、新たな清掃用シートに取り替えなくてはならなかったり、粘着シートの粘着力が失われた状態で不織布部分のみを清掃に使用するといったこととなってしまう不具合があり、不織布による清掃面が有効に使用されていない。
【００１０】
この発明は、上記の課題に鑑み、上記のような不織布および粘着シートを備える清掃用シートにおいて、粘着シートによる清掃が可能な時間を延ばすことにより、不織布からなる清掃面を有効に使用できる取替え用の清掃用シートを提供することを目的とする。
【課題を解決するための手段】
【００１１】
本発明は前記課題を解決するためになされたものであり、本発明は以下の（１）〜（６）の清掃用シートを提供するものである。
【００１２】
（１）粘着面と不織布面とを備えた清掃用シートであって、前記粘着面は、一方の面に粘着面を設けた粘着シートが個別に分離可能に複数枚積層されてなることを特徴とする清掃用シート。
【００１３】
この清掃シートによれば、粘着面を有する粘着シートが個別に分離可能に複数枚積層された多層粘着シート構成により、該多層粘着シートから使用済みの粘着シートを１枚ずつ剥がすことによって新たな粘着面を露出させることができるので、清掃用シート自体を取り替えることなく、ワンタッチで簡易に粘着面のみを新しい面にすることができる。したがって、清掃用シートの粘着面の寿命を長くでき、不織布面を効率的に利用することができる。
【００１４】
（２）前記（１）において、把持部と、該把持部の取付部を有する清掃ヘッド部とを備え、前記清掃ヘッド部が第１の清掃面及び該第１の清掃面と使用位置の異なる第２の清掃面を有する、清掃具の前記清掃ヘッド部に対して、前記第１及び第２の清掃面のいずれか一方に粘着面が位置し、他方に不織布面が位置するように取着できるようにした清掃用シート。
【００１５】
この清掃用シートによれば、把持部と、該把持部の取付部を有する清掃ヘッド部とを備え、前記清掃ヘッド部が第１の清掃面及び該第１の清掃面と使用位置の異なる第２の清掃面を有する、清掃具の前記清掃ヘッド部に対して、前記第１及び第２の清掃面のいずれか一方に粘着面が位置し、他方に不織布面が位置するように取着できるので、例えば、前記第１の清掃面に不織布面を、一方前記第２の清掃面に粘着面を位置させて清掃用シートを清掃ヘッド部に取着することにより、清掃ヘッド部の使用位置を変えるだけで不織布面による拭き取り、収集作業と、粘着面による付着作業とを簡単に切り替えて効率の良い清掃作業を行えるようにできるとともに、前記（１）の清掃用シートと同様に、粘着面の寿命を長くできて、不織布面を効率的に利用することができる。なお、本清掃用シートの形態には前記第１の清掃面及び前記第２の清掃面に、本発明にかかる清掃シートを取着する使用形態をも含む。
【００１６】
（３）把持部と、該把持部の取付部を有する清掃ヘッド部とを備える清掃具の前記清掃ヘッド部に対して直接又は間接的に取付けられる清掃用シートであって、一方の面に粘着面を設けた粘着シートを、その粘着面を上面として個別に分離可能に複数枚積層させた積層体からなり、当該積層体の下面に取付用の貼着面が形成されていることを特徴とする清掃用シート。
【００１７】
この清掃用シートによれば、粘着シートを複数枚積層させた積層体としているので、この積層体を清掃具の清掃ヘッド部に直接取付けたり、不織布等からなる他の清掃用シートの一部に取付けた状態で前記清掃ヘッド部に間接的に取付けたりすることにより、積層枚数の分だけ新たな粘着面を使用して清掃することができる。特に、取替え用の不織布製清掃シートの一部面に前記積層体を貼着して取付けて使用することにより、前記（１）の清掃用シートと同様の効果を得ることができる。
【００１８】
（４）前記（３）において、下面の取付用の貼着面の粘着力が、粘着シート間相互の粘着力よりも強くされている清掃用シート。
【００１９】
この清掃用シートによれば、最上層の粘着シートを下層の粘着シートから剥がす時に最下層側の粘着シートを一緒に剥がしてしまうことを防止できる。
【００２０】
（５）前記（１）〜（４）のいずれかにおいて、各粘着シートの一端部に非粘着部からなる引き剥がし部が形成されている清掃用シート。
【００２１】
この清掃用シートによれば、各粘着シートの一端部に非粘着部からなる引き剥がし部を形成しているので、前記引き剥がし部を手指で摘んで手を汚すことなく簡単に使用済みの粘着シートを下層の粘着シートから引き剥がすことができる。
【００２２】
（６）前記（１）〜（５）のいずれかにおいて、下層の粘着シートの粘着面の面積が上層の粘着シートの粘着面の面積よりも大きくされることにより、粘着シート間相互の粘着力が下層ほど強くされている清掃用シート。
【００２３】
この清掃用シートによれば、下層の粘着シートの粘着面の面積を上層の粘着シートの粘着面の面積よりも大きくすることにより、粘着シート間の粘着力を下層ほど強くしているので、上層の粘着シートを剥がす時に下層側の粘着シートを一緒に剥がしてしまうことを防止でき、これにより、各層の粘着シートを上層側から１枚ずつ的確に剥がして前記最下層の粘着シートまで新しい粘着面を多数回露出させることができる。
【発明の効果】
【００２４】
本発明によれば、粘着面を有する粘着シートが個別に分離可能に複数枚積層された多層粘着シート構成により、該多層粘着シートから使用済みの粘着シートを１枚ずつ剥がすことによって新たな粘着面を露出させることができるので、実質的に粘着面の寿命を長くできる清掃用シートを提供できる。
【発明を実施するための最良の形態】
【００２５】
以下、本発明にかかる清掃用シートの実施形態について、図面を参照して説明する。図１は本実施形態による清掃用シートＡの平面図であり、図２は、そのＩ−Ｉ断面図である。清掃用シートＡは、略矩形状の不織布シート６と該不織布シート６の上面に設けられた、粘着シート７を複数枚積層した多層粘着シートＢとからなる。
【００２６】
多層粘着シートＢは、長方形形状を有し、その最下層の粘着シート７の裏面を、不織布シート６の一端部表面である不織布面に貼着層１０を介して貼着されている。また、粘着シート７は、表面に粘着層８を備えた剥離紙（セパレータシート）９からなり、積層枚数としては３〜１０枚程度が好ましい。粘着シート７は、剥離紙９の一面にホットメルト系、溶剤系及び水系からなる群より選択された周知の粘着剤を塗布して粘着層８を形成したシート（粘着紙）の複数枚をその粘着面が上方になるよう個別に分離（剥離）自在に積層してある。最下層の粘着シート７は表面に粘着層８を備えるとともに、裏側に貼着層１０を有する。貼着層１０は、不織布シート６との接着強度が、粘着シート７、７間の接着強度より強くなるような粘着剤で形成されている。このため、最下層の粘着シート７より上層の粘着シート７を剥がす時、シート間の貼着力に抗して最下層の粘着シート７は不織布シート６上に貼着された貼着状態を維持することができる。各粘着シート７の一端両面には、粘着剤処理を施さない非粘着部である引き剥がし部１１が設けられており、互いの引き剥がし部１１が上下に重なるように積層されている。これにより、粘着面８一杯にごみが吸着された粘着シート７を取り替えるときには、引き剥がし部１１を摘んで手指を汚すことなく簡単に引き剥がすことができ、粘着シート７の取り替え作業をより簡易に行える。
【００２７】
なお、各粘着シート７，７，・・・の粘着層８は、下層のものほど粘着力が高くされている。具体的には、例えば粘着層８を縞状、リング状、格子状などの模様にパターン形成することによりその面積を下層ほど大きくすれば、下層のシート７，７間の接着力を高くできる。また、本実施形態では、多層粘着シートＢの最上層の粘着層８を露出させた状態で説明したが、商品として提供されるときには、適宜カバーシートにより上記粘着層８を保護されている。
【００２８】
本発明に係る多層粘着シートＢの別の積層構成例を図３に示す。この場合、多層粘着シートＢを構成する、剥離紙２０ａ、２０ｂ、２０ｃ、・・・の表面に粘着層２２ａ，２２ｂ，２２ｃ，・・・，２２を備えた複数の粘着シート２００ａ、２００ｂ、２００ｃ、・・・、２０１は上層ほど長さが短い。最下層の粘着シート２０１は最も長い形状を有し、上記実施形態と同様に、裏側の貼着層２３により不織布シート６上に貼着されている。また、貼着層２３は各粘着シートの粘着層２２より粘着力が強い粘着剤で形成されている。そして、粘着シート２００ａ、２００ｂ、２００ｃ・・・及び最下層の粘着シート２０１に至るまで、各シート端部は粘着剤処理されずに、引き剥がし端部２４、２５、２６・・・・３０が設けられており、少しずつずらされて積層されている。また、各粘着シート２００ａ，２００ｂ，２００ｃ、・・・の粘着層２２ａ，２２ｂ，２２ｃ，・・・の面積は、下層のシートほど大きくされ、下層になるほどシート間の粘着力が大きくされている。これにより前記粘着シートの一端を手指により摘む作業が容易になるため、簡単に引き剥がすことができ、粘着シートの取り替え作業が一層楽である。
【００２９】
次に、この清掃用シートＡを長柄タイプの捕集機能付き清掃具に適用した場合について、図面を参照して説明する。図４は、清掃具の外観図である。
【００３０】
長柄の把持部１は根元に回動軸部２を有する。回動軸部２は平坦な略四角錐形状の清掃ヘッド部４の軸受取付面５中央の軸受け部３に回動自在に連結されている。清掃ヘッド部４本体は、硬質プラスチック板の下面に発砲ウレタン等の軟質プラスチック板を接合または一体的に成型加工して構成してあり、全体として略三角柱形状を有し、底面側に不織布シート６が取着される第１の清掃部（面）を有するとともに、清掃ヘッド部４本体の側面側５ａに、多層粘着シートＢが取着される第２の清掃部（面）を有する。つまり、清掃用シートＡは、清掃ヘッド部４に、その三角柱形状の３つの側面（底面及び両側面）に亘るように取着され、このとき清掃ヘッド部４の一方の側面（第２の清掃部）５ａを覆う位置に清掃用シートＡの多層粘着シートＢが配置され、底面は不織布シート６の面が配置される。
【００３１】
そして、この清掃具の底面を被清掃面に面した場合には、不織布シート６による拭き取り、収集作業を行うことができ、この不織布シート６により捕集できなかったごみを、回動軸部２及び軸受け部３により清掃ヘッド部４を回転させて側面５ａが下方になるようにして清掃することにより、多層粘着シートＢの粘着層８に粘着させて捕集することができ、粘着面が汚れたときは粘着シート７の端の引き剥がし部１１を手指で摘んで引き剥がすことによりワンタッチで新しい粘着面に取り替えることができる。
【００３２】
この清掃具においては、上記実施形態の清掃用シートＡの両端部を折り返し取着すことにより、多層粘着シートＢが清掃ヘッド部４本体の側面５ａ側に位置するようにされているが、上記清掃用シートＡの両端部にそれぞれ多層粘着シートＢを設けるようにしてもよい。
【００３３】
次に、本発明の清掃用シートの他の実施形態について説明する。この実施形態は、上記のような清掃具の清掃ヘッド部の側面に直接貼着して用いる、又は不織布等からなる拭き取り清掃のための清掃用シート上に貼着した状態で前記清掃ヘッド部に供する多層粘着シートからなるものである。
【００３４】
本実施形態における清掃用シートは、図１〜図３を用いて説明した清掃用シートＡの多層粘着シートＢを別体として取り出しもので、つまり、図２及び図３における多層粘着シートの最下層の粘着シート７，２０１の剥離紙９，２１の下面に設けられた貼着層１０，２３を覆うカバーシートが設けられている以外は上記多層粘着シートＢと同じ構成をなす。なお、ここでは、上記貼着層１０，２３は不織布面や清掃具の清掃ヘッド部の清掃面に対して剥離可能な貼着力を有するものが好ましく、このようにしておくことにより、本実施形態の清掃用シートの使用後、スペアの清掃用シートと取り替えが可能とし得る。
【００３５】
このようにしてなる本実施形態における清掃用シートは、上記カバーシートを引き剥がすことにより貼着層を露出した上で、例えば、図４における清掃具の清掃ヘッド部４に不織布製の清掃用シートを同様に取着し、清掃ヘッド部４の側面５ａの不織布面上に貼着させることにより、図４の清掃具を用いて説明したのと同様の形態にて使用することができる。なお、清掃ヘッド部４の側面５ａに多層粘着シートＢを直付けしてもよい。清掃ヘッド部４の側面５ａは不織布シート６の清掃面としては操作しくいため、清掃部としての有効使用領域とならないが、この側面５ａを利用して多層粘着シートＢを取着することにより、粘着シートの取り替えを簡易に行え、新しい粘着面を適宜露出させ、捕集作業を間断なく行える清掃具を実現することができる。
【００３６】
上記多層粘着シートＢの部分のみからなる清掃用シートを別の捕集機能付き長柄タイプの清掃具に適用した概略図を図５に示す。かかる清掃具においても、上記実施形態と同様に、把持部４０の根元で清掃ヘッド部４２の回動軸受け部５１に回動自在に取付けられている。清掃ヘッド部４２の本体４３は断面視台形形状を有し、上面側に回動軸受け部５１の取付用中央平坦面４４、中央平坦面４４の両側に傾斜面４５ａ、４５ｂを備える。
【００３７】
清掃シート４６は不織布等の拭き取り機能を有する清掃用シートであり、清掃ヘッド部４２の底面を覆うように上面側に折り返され、その折り返し部分で取着され、交換可能に取付けられている。すなわち、清掃シート４６は清掃ヘッド部４２上面に切り込み形成された係着用略十字状のスリットＳに係着される程度の大きさの長方形に製造されており、容易に交換自在になっている。すなわち、清掃シート４６は清掃ヘッド部４２底面を覆い、そしてその前端部分と後端部分を清掃ヘッド部４の上面側に折り返して、スリットＳ上に位置する清掃シート４６を手指で押さえ込むことにより清掃シート４６はスリットＳに装着される。ここで多層粘着シートＢは、清掃シート４６の折り返し部分近傍に、清掃ヘッド部４２の本体４３の端辺に沿って傾斜面４５ａに貼着されている。もちろん、もう一方の傾斜面４５ｂにも多層粘着シート４７を貼着してもよい。
【００３８】
なお、ここでは清掃ヘッド部４２の傾斜面４５ａに沿って、多層粘着シートＢの粘着面８が形成されるので、清掃シート４６の折り返し部の及ばない空きスペースを利用して多層粘着シートＢを取着することができる。
【００３９】
さらに、本発明の清掃用シート（多層粘着シート１０２）を別の清掃具であるハンディタイプの清掃具に適用した場合の概略図を図６に示す。この清掃具は、全体として卓球ラケットのような形状の本体部１００を有し、本体部１００の一端側に把持部１０１が連結形成されている。本体部１００及び把持部１０１は合成樹脂により一体成形されている。把持部１０１の根元側の本体部１００との連結部分には可撓性のある屈曲部１０６が形成されている。屈曲部１０６は、清掃時に把持部１０１を握って床面等の被清掃個所に本体部１００を押し付けやすいように、把持部１０１の根元付近を撓み変形させるために設けられている。本体部１００の平坦な両面に本発明にかかる清掃用シート１０２が貼着されている。清掃用シート１０２は略舌片状形状を備え、その粘着面１０４は本体部１００の片面１０５に近似した形状を有する。そして、清掃用シート１０２は粘着面１０４を上にして、最下層の粘着シート（図示せず）を通じて片面１０５上に貼着され、また図３により示したように、粘着剤処理されていない各シート端部１０３が少しずつずれて積層されている。このようなハンディタイプの清掃具に本発明を適用することにより、両面を粘着作用により清掃作業を行え、かつ粘着シートの取替えをワンタッチで行える捕集機能付きハンディ清掃具を実現できる。なお、本体部１００の片面側をモップ状の清掃部とし、他方の面に、本発明に係る多層粘着シート１０２を取り付けるようにすれば、粘着シートの取替えをワンタッチで行える捕集機能付きハンディモップ清掃具を実現できる。
【００４０】
なお、本発明にかかる清掃具は上記実施形態に限定されるものではなく、本発明の要旨を逸脱しない範囲で種々変更することができる。
【図面の簡単な説明】
【００４１】
【図１】本発明の一実施形態である清掃用シートの平面図である。
【図２】図１の清掃用シートのＩ−Ｉ断面構成図である。
【図３】本発明に係る別の清掃用シートの多層粘着シート部分の積層構成を示す断面構成図である。
【図４】本発明の清掃用シートを適用した長柄付き清掃具の外観図である。
【図５】本発明の清掃用シートを適用した別の長柄付き清掃具の外観図である。
【図６】本発明の清掃用シートを適用したさらに別のハンディタイプの清掃具の外観図である。
【図７】従来の長柄付き清掃具の外観図である。
【符号の説明】
【００４２】
Ａ      清掃用シート
Ｂ      多層粘着シート
１      把持部、
２      回動軸部、
３      軸受け部、
４      清掃ヘッド部、
５      （清掃ヘッド部４の）軸受取付面、
６      不織布シート、
７、２００ａ、２００ｂ、２００ｃ、２０１      粘着シート、
８、２２、２２ａ〜２２ｃ      粘着層、
９      剥離紙、
１０、２３      貼着層、
１１、２４、２５、２６、３０      引き剥がし部、
１００    本体部
１０１    把持部
１０２    清掃用シート
１０３    シート端部
１０４    粘着面
１０５    片面
１０６    屈曲部
【図１】
2006136435.tif 000003
【図２】
2006136435.tif 000004
【図３】
2006136435.tif 000005
【図４】
2006136435.tif 000006
【図５】
2006136435.tif 000007
【図６】
2006136435.tif 000008
【図７】
2006136435.tif 000009